(57)【特許請求の範囲】
【請求項１】
取付壁の開口部の内縁に沿って固定される樹脂枠と、パネルフレーム内に複数の中空状のガラスブロックをパネル状に積層して一体化したガラスブロックパネルとを備え、
前記ガラスブロックにおける上段のガラスブロック列と下段のガラスブロック列との間を横切るように横架状態で補強筋を前記パネルフレームに固着し、前記樹脂枠を、前記取付壁の開口部の内縁に沿って固定される固定縁部と、該固定縁部に対して着脱可能な押縁部とで構成すると共に、前記樹脂枠にガラスブロックパネルのパネルフレームを受け入れ可能な取付部を設け、前記ガラスブロックパネルのパネルフレームをパッキン材を介して前記樹脂枠の取付部に弾性支持したことを特徴とするガラスブロックパネルの取付構造。
【請求項２】
前記樹脂枠の取付部が厚さ方向に並列して一対設けられ、前記各取付部にそれぞれ前記ガラスブロックパネルが弾性支持され、かつ、前記一対のガラスブロックパネル間に空間部が設けられている請求項１記載のガラスブロックパネルの取付構造。
【請求項３】
前記ガラスブロックパネルを構成するガラスブロックの厚さ方向寸法が５０ｍｍ以下である請求項１又は２記載のガラスブロックパネルの取付構造。
【発明の詳細な説明】
【０００１】
【発明の属する技術分野】
本発明は、建造物等の取付壁に採光や外観向上等の目的で施工されるガラスブロックパネルの取付構造に関する。
【０００２】
【従来の技術】
複数の中空状のガラスブロックをパネル状に積層して一体化したガラスブロックパネルは、安全性に優れていること（ガラス板と比較して割れにくい等）、快適性に富んでいること（採光性、断熱性能、騒音低減等に優れている）、意匠性に優れていること等の理由から、ビル等の重厚建造物をはじめ、近時では一般住宅にも広く採用されるようになってきている。
【０００３】
従来、上記のようなガラスブロックパネルを建造物の取付壁の開口部に取付ける構造として、ボルトによる締結構造やビス等による固定構造が知られている。前者は、例えば、取付壁の開口部の内縁に金属製固定部材を設けると共に、ガラスブロックパネルの外縁に金属製ボルト受け板を設け、金属製固定部材と金属製ボルト受け板とをボルトで相互に締結することによって、ガラスブロックパネルを開口部に取付けるものである（特開昭６３−２７２８３７号、特開昭６３−２７２８３８号等）。後者は、例えば、取付壁の開口部の内縁に金属枠（アルミ枠）を固定し、その内縁に当て木をビス等で固定すると共に、ガラスブロックパネルのパネルフレームを当て木にビス等で固定することによって、ガラスブロックパネルを開口部に取付けるものである。
【０００４】
【発明が解決しようとする課題】
上述したボルトによる締結構造は、強固な取付力が得られる反面、ボルトの締結作業が煩雑であること、金属製固定部材や金属製ボルト受け板として高い剛性と強度を持ったものが必要であることから、作業性の点で問題があり、また、重量・寸法・コスト等の点から適用対象がビル等の重厚建造物に限られ、一般住宅への適用が困難である。一方、上述したビス等による固定構造は、一般住宅への適用は可能であるものの、金属枠に対する当て木のビス止め作業と、当て木に対するパネルフレームのビス止め作業とが必要であり、作業性の点で改善の余地がある。
【０００５】
また、寒冷地の一般住宅では、断熱性能の良さから、採光窓等の施工材として複層板ガラスが使用されているが、これをガラスブロックパネルに代替することが試みられている。しかしながら、上述した従来の取付構造は、いずれも、開口部枠として金属枠を使用しているため、金属枠部分からの熱貫流量が多く、しかもガラスブロックパネルが一層構造であるため、パネル部分からの熱貫流量も無視できない。そのため、従来の取付構造では、複層板ガラスに比較すると断熱性能は高くなるものの、寒冷地住宅に要求される断熱性能を充分に満足させることはできなかった。例えば、北海道等の寒冷地においては、住宅金融公庫の割増し融資基準の一つとして、窓部の熱貫流率が２ｋｃａｌ／ｍ2・ｈ・℃以下であることが要求されるが、従来の取付構造では、この公庫割増し融資基準値をクリアーすることは困難である。
【０００６】
そこで、本発明は、ガラスブロックパネルの取付構造の施工作業性を向上させると共に、一般住宅の採光窓等にも適用可能な構造とし、かつ、特に寒冷地住宅への適用性を高めるため、断熱性能のより一層の向上を図ることを目的とするものである。
【０００７】
【課題を解決するための手段】
上記目的を達成するため、本発明は、取付壁の開口部の内縁に沿って固定される樹脂枠と、パネルフレーム内に複数の中空状のガラスブロックをパネル状に積層して一体化したガラスブロックパネルとを備え、ガラスブロックにおける上段のガラスブロック列と下段のガラスブロック列との間を横切るように横架状態で補強筋を前記パネルフレームに固着し、樹脂枠を、取付壁の開口部の内縁に沿って固定される固定縁部と、該固定縁部に対して着脱可能な押縁部とで構成すると共に、樹脂枠にガラスブロックパネルのパネルフレームを受け入れ可能な取付部を設け、ガラスブロックパネルのパネルフレームをパッキン材を介して樹脂枠の取付部に弾性支持した構造を提供する。
【０００８】
開口部枠として樹脂枠を使用しているので、金属枠を使用する場合に比べて、枠部分からの熱貫流量が減少し、その分、断熱性能が向上する。また、パネルフレームをパッキン材を介して樹脂枠に弾性支持する構造であるので、取付部分のシール性に優れていると同時に、台風時等の風圧や振動等に対する対応性にも優れている。さらに、樹脂枠は射出成形等により比較的低コストで製造することができるのでコスト的に有利であり、また、金属枠に比較して軽量であるので、保管、運搬、施工作業を簡単化する上で有利である。
【０００９】
断熱性のより一層の向上を図るため、樹脂枠の取付部を厚さ方向に並列して一対設け、各取付部にそれぞれガラスブロックパネルを弾性支持すると共に、一対のガラスブロックパネル間に空間部を設けた構造とすることができる。ガラスブロックパネル自体が複層になることに加え、ガラスブロック間の熱貫流が空間部によって遮られるため、断熱性は格段に向上する。
【００１０】
一方、ガラスブロックパネルを上記のような複層構造にすることにより、厚さ方向寸法が増加するので、取付壁の厚さ方向寸法との関係で、一般住宅への適用が困難になる場合がある。その場合、ガラスブロックの厚さ方向寸法、即ち、一枚のガラスブロックパネルの厚さ方向寸法を５０ｍｍ以下、好ましくは５０ｍｍ以下３０ｍｍ以上とすることにより、所要の断熱性能を確保しつつ、一般住宅の取付壁の厚さ方向寸法内に収めることが可能となる。
【００１１】
【発明の実施の形態】
以下、本発明の実施形態を図１〜図７を参照して説明する。尚、全図を通じて実質的に同一の部材又は部分には同一の符号を付して示し、重複する説明は省略する。
【００１２】
図１は、ガラスブロックパネル１を取付壁２の開口部３に取付けた状態を示している。例えば、取付壁２は一般住宅において屋内外を仕切る外壁であり、ガラスブロックパネル１は採光窓となるものである。
【００１３】
図２は図１におけるＸ−Ｘ断面、図３は図１におけるＹ−Ｙ断面、図４はガラスブロックパネル１の平面を示している。
【００１４】
ガラスブロックパネル１は、パネルフレーム４内に複数（この実施形態では８個）の中空状のガラスブロック１ａをパネル状に積層し（この実施形態では２列４段）、モルタル５と補強筋６によって結合一体化したものである。パネルフレーム４および補強筋６は例えばステンレス材で形成され、補強筋６は上段のガラスブロック列と下段のガラスブロック列との間を横切るように、横架状態でパネルフレーム４の帯板部分４ａの内縁に溶接等の適宜の手段で固着される。帯板部分４ａの内縁と積層状態のガラスブロック１ａの外縁との間にはモルタル５が施工される。
【００１５】
上記のようなガラスブロックパネル１は、樹脂枠７を介して取付壁２の開口部３に取付けられる。この実施形態において、樹脂枠７は、複層板ガラス用枠として市販されているものをそのまま使用している。
【００１６】
樹脂枠７は、図５に示すように、開口部３の内縁に沿って固定される固定縁部７ａと、固定縁部７ａに対して着脱可能な押縁部７ｂとで構成される。固定縁部７ａの内縁一端部は鍔状に突出し、その突出部７ａ１の内側にパッキン材８が装着される。押縁部７ｂは、固定縁部７ａの内縁他端部に嵌め込み固定される。押縁部７ｂの外縁部分には二股状になった爪部７ｂ１が成形され、その爪部７ｂ１が固定縁部７ａの内縁他端部に形成された凹部７ａ２と係合することによって、押縁部７ｂの固定縁部７ａに対する所要の固定力が確保される。また、押縁部７ｂの内側には、固定縁部７ａのパッキン材８と所定の間隔を隔てて対向するパッキン材９が装着される。
【００１７】
図２及び図３に示すように、押縁部７ｂを固定縁部７ａに嵌め込み固定した状態で、両者の間にガラスブロックパネル１のパネルフレーム４を受け入れ可能な取付部７ｃが形成される。そして、その取付部７ｃに、パネルフレーム４が一対のパッキン材８、９を介して弾性支持される。尚、市販の複層板ガラス用枠の使用を可能とし、製造コストの低減を図るため、パネルフレーム４の厚さ方向寸法は、この樹脂枠に取付けられる市販の複層板ガラスのフレームと同じにしてある。
【００１８】
ガラスブロックパネル１の取付作業は図５に示すような態様で行うことができる。まず、取付壁２の開口部３の内縁に樹脂枠７の固定縁部７ａを嵌挿し、枠金具２０（図６参照）を嵌めてビス等で取付壁２に固定する。つぎに、図４に示す状態に予め一体化されたガラスブロックパネル１を固定縁部７ａに嵌め付け、パネルフレーム４の一端面をパッキン材８に押し当てる。この時、パネルフレーム４の左右方向および上下方向の位置決めを行うため、図２及び図３に示すように、パネルフレーム４の一側面および下面と固定縁部７ａとの間にそれぞれ所定厚さのライナー材１１を介在させると良い。その後、押縁部７ｂを固定縁部７ａに嵌め込み、パッキン材９をパネルフレーム４の他端面に押し当てる。これにより、パネルフレーム４が一対のパッキン材８、９を介して樹脂枠７の取付部７ｃに弾性支持され、ガラスブロックパネル１が開口部３に取付けられる。最後に、必要に応じて、ガラスブロックパネル１の目地部分にシーリング目地１２を施して仕上げる。
【００１９】
上記実施形態の取付構造は、ガラスブロックパネル１のパネルフレーム４をパッキン材８、９を介して樹脂枠７に弾性支持する構造であるので、従来構造に比べて高い断熱性能が得られる。しかしながら、ガラスブロックパネル１が一層であるため、これを例えば寒冷地住宅の採光窓に適用した場合、公庫割増し融資基準値である熱貫流率２ｋｃａｌ／ｍ2・ｈ・℃をクリアすることは難しい。そこで、断熱性能のより一層の向上を図り、上記基準値をクリア可能にしたのが図６および図７に示す第２の実施形態である。
【００２０】
この実施形態は、ガラスブロックパネル１を二層とし、かつ、ガラスブロックパネル１間に空間部Ｓを設けたものである。樹脂枠７は、上述した第１の実施形態と同様に、複層板ガラス用枠として市販されているものを使用し、２つの樹脂枠７の一端面同士を突き合わせ、相互に固着して一体化している。また、各樹脂枠７の押縁部７ｂはそれぞれ外側に位置させることにより、固定縁部７ａに対する着脱を可能にしている。そして、各樹脂枠７の取付部７ｃにそれぞれ、上述した態様で、ガラスブロックパネル１のパネルフレーム４をパッキン材８、９を介して弾性支持している。
【００２１】
ガラスブロックパネル１が二層になることに加え、ガラスブロックパネル１間の熱貫流が空間部Ｓによって遮られるため、断熱性能は格段に向上し、上記基準値をクリアすることが可能となる。
【００２２】
一方、ガラスブロックパネル１を上記のような複層構造にすることにより、厚さ方向寸法が増加するので、取付壁２の厚さ方向寸法との関係で、一般住宅への適用が困難になる場合がある。その場合、ガラスブロック１ａの厚さ方向寸法Ｗ１、即ち、各ガラスブロックパネル１の厚さ方向寸法Ｗ１を５０ｍｍ以下、好ましくは５０ｍｍ以下３０ｍｍ以上とすることにより、上記基準値をクリアしつつ、空間部Ｓを含めたパネル部分の全体の厚さ方向寸法Ｗ２を、一般住宅の取付壁２の厚さ方向寸法内に収めることが可能となる。各ガラスブロックパネル１の厚さ方向寸法Ｗ１が５０ｍｍを超えると、パネル部分の全体の厚さ方向寸法Ｗ２を一般住宅の取付壁２に収めることが困難となり、逆に、厚さ方向寸法Ｗ１が３０ｍｍ未満であると、各ガラスブロックパネル１自体の断熱性能が低下することにより、熱貫流率を上記基準値内に収めることが難しくなる。
【００２３】
尚、この実施形態では、２つの樹脂枠７を相互に固着して一体化しているが、一体成形品としても良い。
【００２４】
【発明の効果】
本発明は以下に示す効果を有する。
【００２５】
（１）開口部枠として樹脂枠を使用しているので、金属枠を使用する従来構造に比べて、枠部分からの熱貫流量が減少し、断熱性能が向上する。
【００２６】
（２）ガラスブロックパネルのパネルフレームをパッキン材を介して樹脂枠に弾性支持する構造であるので、取付部分のシール性に優れ、断熱性能に優れていると同時に、台風時等の風圧や振動等に対する対応性にも優れている。
【００２７】
（３）樹脂枠は射出成形等により比較的低コストで製造することができるのでコスト的に有利であり、また、金属枠に比較して軽量であるので、保管、運搬、施工作業を簡単化する上で有利である。
【００２８】
（４）従来のボルトによる締結構造やビス等による固定構造に比べて、施工作業が簡単であり、また、ビル等の重厚建造物の他、一般住宅への適用も可能である。
【００２９】
（５）ガラスブロックパネルを複層とし、かつ、ガラスブロックパネル間に空間部を設けた構造とすることにより、断熱性能をより一層向上させることができる。さらに、ガラスブロックの厚さ方向寸法、即ち、一枚のガラスブロックの厚さ方向寸法を５０ｍｍ以下、好ましくは５０ｍｍ以下３０ｍｍ以上とすることにより、優れた断熱性能を確保しつつ、一般住宅の取付壁の厚さ方向寸法内に収めることが可能となる。このような構造とすることにより、特に寒冷地住宅において、公庫割増し融資基準の一つである熱貫流率２ｋｃａｌ／ｍ2・ｈ・℃以下をクリアすることができ、そのメリットは大きい。
【図面の簡単な説明】
【図１】本発明の実施形態に係わるガラスブロックパネルの取付構造を示す正面図である。
【図２】図１におけるＸ−Ｘ断面図である。
【図３】図１におけるＹ−Ｙ断面図である。
【図４】ガラスブロックパネルの正面図（一部破断）である。
【図５】取付施工の態様を示す断面図（図１におけるＸ−Ｘ断面方向）である。
【図６】本発明の他の実施形態に係わるガラスブロックパネルの取付構造を示す断面図（図１におけるＸ−Ｘ断面方向）である。
【図７】図６に示す取付構造の取付施工の態様を示す断面図（図１におけるＸ−Ｘ断面方向）である。
【符号の説明】
１    ガラスブロックパネル
１ａ  ガラスブロック
２    取付壁
３    開口部
４    パネルフレーム
７    樹脂枠
７ｃ  取付部
８    パッキン材
９    パッキン材
Ｓ    空間部
【図１】
0003693146.tif 000002
【図２】
0003693146.tif 000003
【図３】
0003693146.tif 000004
【図４】
0003693146.tif 000005
【図５】
0003693146.tif 000006
【図６】
0003693146.tif 000007
【図７】
0003693146.tif 000008